(57)【要約】      （修正有）【課題】電子取引参加者の本人確認のための、より改良された装置及び方法を提供する。【解決手段】バイオメトリック情報を登録するため、個人からバイオメトリック情報を取得し、前記個人より識別情報を受信し、そして前記識別情報が個人を識別するということを証明する。前記バイオメトリック情報は、ＣＢＥＦＦ標準規格による。【選択図】図１
2005332390.tif 000002
【特許請求の範囲】
【請求項１】
情報管理装置においてバイオメトリック情報を登録する方法であって、
個人のバイオメトリック情報を受信する工程と、
前記個人から識別情報を受信する工程と、
前記識別情報によって前記個人を識別することを証明する工程と
を有することを特徴とする方法。
【請求項２】
前記バイオメトリック情報が、デジタルテンプレートを含むことを特徴とする請求項１に記載の方法。
【請求項３】
前記デジタルテンプレートが、詳細テンプレートを含むことを特徴とする請求項２に記載の方法。
【請求項４】
前記デジタルテンプレートが、標準規格に沿ったものであることを特徴とする請求項２に記載の方法。
【請求項５】
前記標準規格が、ＣＢＥＦＦ（Ｃｏｍｍｏｎ  Ｂｉｏｍｅｔｒｉｃ  Ｅｘｃｈａｎｇｅ  Ｆｉｌｅ  Ｆｏｒｍａｔ）標準規格であることを特徴とする請求項４に記載の方法。
【請求項６】
前記デジタルテンプレートが、声紋を含むことを特徴とする請求項２に記載の方法。
【請求項７】
前記デジタルテンプレートが、フェイスプリントを含むことを特徴とする請求項２に記載の方法。
【請求項８】
前記デジタルテンプレートが、虹彩スキャンを含むことを特徴とする請求項２に記載の方法。
【請求項９】
前記デジタルテンプレートが、網膜スキャンを含むことを特徴とする請求項２に記載の方法。
【請求項１０】
前記デジタルテンプレートが、ハンドスキャンを含むことを特徴とする請求項２に記載の方法。
【請求項１１】
前記デジタルテンプレートが、署名スキャンを含むことを特徴とする請求項２に記載の方法。
【請求項１２】
前記バイオメトリック情報を受信する工程が、前記バイオメトリック情報の提供を前記個人に促すことを特徴とする請求項１に記載の方法。
【請求項１３】
前記個人の身体の一部から発する信号を受信するために設定されたデバイスを提供する工程をさらに有することを特徴とする請求項１に記載の方法。
【請求項１４】
前記信号が、画像であることを特徴とする請求項１３に記載の方法。
【請求項１５】
前記信号が、光であることを特徴とする請求項１３に記載の方法。
【請求項１６】
前記信号が、電荷であることを特徴とする請求項１３に記載の方法。
【請求項１７】
前記信号が、音であることを特徴とする請求項１３に記載の方法。
【請求項１８】
前記信号が、圧力であることを特徴とする請求項１３に記載の方法。
【請求項１９】
前記身体の一部が、少なくとも指の一部を含むことを特徴とする請求項１３に記載の方法。
【請求項２０】
前記身体の一部が、少なくとも手の一部を含むことを特徴とする請求項１３に記載の方法。
【請求項２１】
前記信号が、機器を通じて前記手よりデバイスに転送されることを特徴とする請求項２０に記載の方法。
【請求項２２】
前記機器が、スタイラスであることを特徴とする請求項２０に記載の方法。
【請求項２３】
前記機器が、筆記具であることを特徴とする請求項２０に記載の方法。
【請求項２４】
前記身体の一部が、少なくとも口の一部を含むことを特徴とする請求項１３に記載の方法。
【請求項２５】
前記身体の一部が、少なくとも目の一部を含むことを特徴とする請求項１３に記載の方法。
【請求項２６】
前記身体の一部が、少なくとも虹彩の一部を含むことを特徴とする請求項１３に記載の方法。
【請求項２７】
前記身体の一部が、少なくとも網膜の一部を含むことを特徴とする請求項１３に記載の方法。
【請求項２８】
前記身体の一部が、少なくとも顔の一部を含むことを特徴とする請求項１３に記載の方法。
【請求項２９】
前記身体の一部が、少なくとも血管の一部を含むことを特徴とする請求項１３に記載の方法。
【請求項３０】
前記情報管理装置へ前記バイオメトリック情報を転送する工程をさらに有し、
該情報管理装置は、前記個人が本人であることを確認するように設定されていることを特徴とする請求項１に記載の方法。
【請求項３１】
前記証明する工程が、少なくとも前記識別情報一部を確認することを特徴とする請求項１に記載の方法。
【請求項３２】
前記識別情報の一部が、住所を含むことを特徴とする請求項３１に記載の方法。
【請求項３３】
前記識別情報の一部が、名前を含むことを特徴とする請求項３１に記載の方法。
【請求項３４】
前記識別情報の一部が、生年月日を含むことを特徴とする請求項３１に記載の方法。
【請求項３５】
前記識別情報の一部が、ＩＤ番号を含むことを特徴とする請求項３１に記載の方法。
【請求項３６】
前記識別情報の一部が、社会保障番号を含むことを特徴とする請求項３１に記載の方法。
【請求項３７】
前記識別情報の一部が、免許証情報を含むことを特徴とする請求項３１に記載の方法。
【請求項３８】
前記免許証情報が、自動車免許証情報を含むことを特徴とする請求項３７に記載の方法。
【請求項３９】
サーティファイアを提供する工程をさらに有し、
前記バイオメトリック情報を取得する工程が、前記サーティファイアを介在させて前記個人から前記バイオメトリック情報を取得することを特徴とする請求項１に記載の方法。
【請求項４０】
サーティファイアを提供する工程をさらに有し、
前記識別情報を受信する工程が、前記サーティファイアを介在させて前記個人から前記識別情報を受信することを特徴とする請求項１に記載の方法。
【請求項４１】
前記証明する工程は、前記個人が前記識別情報を提出したことを証明する工程を有することを特徴とする請求項１に記載の方法。
【請求項４２】
前記証明する工程は、サーティファイアによって本人であることを確認する工程を有することを特徴とする請求項１に記載の方法。
【請求項４３】
前記確認する工程が、
前記サーティファイアから第１のサーティファイアバイオメトリック情報を取得する工程と、
前記第１のサーティファイアバイオメトリック情報と第２のバイオメトリック情報とを比較する工程と
を有することを特徴とする請求項３９に記載の方法。
【請求項４４】
前記サーティファイアに証明書を提供する工程をさらに有することを特徴とする請求項３９に記載の方法。
【請求項４５】
前記証明書が、免許証であることを特徴とする請求項４４に記載の方法。
【請求項４６】
前記サーティファイアが、公証人であることを特徴とする請求項４２に記載の方法。
【請求項４７】
前記証明する工程が、文書を公証する工程を有することを特徴とする請求項１に記載の方法。
【請求項４８】
前記公証する工程が、前記文書を電子的に公証することを特徴とする請求項４７に記載の方法。
【請求項４９】
前記文書が、電子文書であることを特徴とする請求項４８に記載の方法。
【請求項５０】
電子取引における参加者の本人確認をする方法であって
電子通信ネットワーク上で、前記参加者より第１の身体的バイオメトリック情報を受信する工程と、
前記第１の身体的バイオメトリック情報と第２のバイオメトリック情報を比較する工程と
を有することを特徴とする方法。
【請求項５１】
前記第２のバイオメトリック情報をデータ格納デバイスより取り出す工程をさらに有することを特徴とする請求項５０に記載の方法。
【請求項５２】
前記第１の身体的バイオメトリック情報が、第１のデジタルテンプレートを含むことを特徴とする請求項５０に記載の方法。
【請求項５３】
前記デジタルテンプレートが、詳細テンプレートを含むことを特徴とする請求項５２に記載の方法。
【請求項５４】
前記デジタルテンプレートが、標準規格に沿ったものであることを特徴とする請求項５２に記載の方法。
【請求項５５】
前記標準規格が、ＣＢＥＦＦ（Ｃｏｍｍｏｎ  Ｂｉｏｍｅｔｒｉｃ  Ｅｘｃｈａｎｇｅ  Ｆｉｌｅ  Ｆｏｒｍａｔ） 標準規格であることを特徴とする請求項５４に記載の方法。
【請求項５６】
前記デジタルテンプレートが、声紋を含むことを特徴とする請求項５２に記載の方法。
【請求項５７】
前記デジタルテンプレートが、フェイスプリントを含むことを特徴とする請求項５２に記載の方法。
【請求項５８】
前記デジタルテンプレートが、虹彩スキャンを含むことを特徴とする請求項５２に記載の方法。
【請求項５９】
前記デジタルテンプレートが、網膜スキャンを含むことを特徴とする請求項５２に記載の方法。
【請求項６０】
前記デジタルテンプレートが、ハンドスキャンを含むことを特徴とする請求項５２に記載の方法。
【請求項６１】
前記第２のバイオメトリック情報が、第２のデジタルテンプレートを含むことを特徴とする請求項５０に記載の方法。
【請求項６２】
前記デジタルテンプレートが、詳細テンプレートを含むことを特徴とする請求項６１に記載の方法。
【請求項６３】
前記デジタルテンプレートが、標準規格に沿ったものであることを特徴とする請求項６１に記載の方法。
【請求項６４】
前記標準規格が、ＣＢＥＦＦ（Ｃｏｍｍｏｎ  Ｂｉｏｍｅｔｒｉｃ  Ｅｘｃｈａｎｇｅ  Ｆｉｌｅ  Ｆｏｒｍａｔ）標準規格であることを特徴とする請求項６３に記載の方法。
【請求項６５】
前記デジタルテンプレートが、声紋を含むことを特徴とする請求項６１に記載の方法。
【請求項６６】
前記デジタルテンプレートが、フェイスプリントを含むことを特徴とする請求項５２に記載の方法。
【請求項６７】
前記デジタルテンプレートが、虹彩スキャンを含むことを特徴とする請求項５２に記載の方法。
【請求項６８】
前記デジタルテンプレートが、網膜スキャンを含むことを特徴とする請求項５２に記載の方法。
【請求項６９】
前記デジタルテンプレートが、ハンドスキャンを含むことを特徴とする請求項５２に記載の方法。
【請求項７０】
前記取得する工程が、フォーマットに基づいたデータを取得する工程を有することを特徴とする請求項５０に記載の方法。
【請求項７１】
前記フォーマットが、マークアップ言語フォーマットであることを特徴とする請求項７０に記載の方法。
【請求項７２】
前記フォーマットが、ＨＴＭＬ（ハイパーテキストマークアップ言語）であることを特徴とする請求項７１に記載の方法。
【請求項７３】
前記フォーマットが、拡張マークアップ言語フォーマットであることを特徴とする請求項７１に記載の方法。
【請求項７４】
前記受信する工程が、ファイル転送プロトコルに基づきデータを転送する工程を有することを特徴とする請求項７０に記載の方法。
【請求項７５】
前記プロトコルが、Ｆｉｌｅ  Ｔｒａｎｓｆｅｒ  Ｐｒｏｔｏｃｏｌであることを特徴とする請求項７４に記載の方法。
【請求項７６】
前記プロトコルが、電子メールプロトコルあることを特徴とする請求項７４に記載の方法。
【請求項７７】
前記プロトコルが、Ｓｉｍｐｌｅ  Ｍａｉｌ  Ｔｒａｎｓｆｅｒ  Ｐｒｏｔｏｃｏｌであることを特徴とする請求項７４に記載の方法。
【請求項７８】
前記プロトコルが、ハイパーテキスト転送プロトコルあることを特徴とする請求項７４に記載の方法。
【請求項７９】
前記受信する工程が、前記参加者に前記第１のバイオメトリック情報を提供させることを促すことを特徴とする請求項５０に記載の方法。
【請求項８０】
前記参加者の身体の一部から信号を受信するために設定されたデバイスを提供する工程をさらに有することを特徴とする請求項５０に記載の方法。
【請求項８１】
前記信号が、画像であることを特徴とする請求項８０に記載の方法。
【請求項８２】
前記信号が、光であることを特徴とする請求項８０に記載の方法。
【請求項８３】
前記信号が、電荷であることを特徴とする請求項８０に記載の方法。
【請求項８４】
前記信号が、音であることを特徴とする請求項８０に記載の方法。
【請求項８５】
前記信号が、圧力であることを特徴とする請求項８０に記載の方法。
【請求項８６】
前記身体の一部が、少なくとも指の一部を含むことを特徴とする請求項８０に記載の方法。
【請求項８７】
前記身体の一部が、少なくとも手の一部を含むことを特徴とする請求項８０に記載の方法。
【請求項８８】
前記身体の一部が、少なくとも口の一部を含むことを特徴とする請求項８０に記載の方法。
【請求項８９】
前記身体の一部が、少なくとも目の一部を含むことを特徴とする請求項８０に記載の方法。
【請求項９０】
前記身体の一部が、少なくとも虹彩の一部を含むことを特徴とする請求項８０に記載の方法。
【請求項９１】
前記身体の一部が、少なくとも網膜の一部を含むことを特徴とする請求項８０に記載の方法。
【請求項９２】
前記身体の一部が、少なくとも顔の一部を含むことを特徴とする請求項８０に記載の方法。
【請求項９３】
前記身体の一部が、少なくとも目の一部を含むことを特徴とする請求項８０に記載の方法。
【請求項９４】
前記比較する工程が、第１のデジタルテンプレートと第２のデジタルテンプレートとの違いを確認することを特徴とする請求項５０に記載の方法。
【請求項９５】
前記比較する工程が、第１のデジタルテンプレートと第２のデジタルテンプレートとの類似性を確認することを特徴とする請求項５０に記載の方法。
【請求項９６】
前記比較する工程が、第１のデジタルテンプレートと第２のデジタルテンプレートとを用いて、統計的検査を実行することを特徴とする請求項５０に記載の方法。
【請求項９７】
確認レポートを提供する工程をさらに有することを特徴とする請求項５０に記載の方法。
【請求項９８】
前記確認レポートを転送する工程をさらに有することを特徴とする請求項９７に記載の方法。
【請求項９９】
前記転送する工程が、団体からの身分確認要請に応じて、前記団体にレポートを送信することを特徴とする請求項９８に記載の方法。
【請求項１００】
前記転送する工程が、電子通信ネットワークを通じて転送することを特徴とする請求項９８に記載の方法。
【請求項１０１】
サーティファイアを提供する工程と、
前記サーティファイアを介在させて個人から前記第２のバイオメトリック情報を受信する工程と
をさらに有することを特徴とする請求項５０に記載の方法。
【請求項１０２】
サーティファイアを提供する工程と、
前記サーティファイアを介在させて個人から識別情報を受信する工程と
をさらに有することを特徴とする請求項５０に記載の方法。
【請求項１０３】
サーティファイアを提供する工程と、
個人がサーティファイアに識別情報を提供したことを証明する工程と
をさらに有することを特徴とする請求項５０に記載の方法。
【請求項１０４】
個人からバイオメトリック情報を取得し、前記バイオメトリック情報を処理装置に通知するように設定されたセンサと、
前記個人から識別情報を、サーティファイアから認証情報を取得するように設定されている、少なくとも１つのアクセスデバイスを含むデータ入力装置とを備えるバイオメトリック情報を登録するシステムであって、
前記識別情報が前記個人から提示されたものであることを前記認証情報が認証することを特徴とするシステム。
【請求項１０５】
前記バイオメトリック情報が、デジタルテンプレートを含むことを特徴とする請求項１０４に記載のシステム。
【請求項１０６】
前記デジタルテンプレートが、詳細テンプレートを含むことを特徴とする請求項１０５に記載のシステム。
【請求項１０７】
前記デジタルテンプレートが、標準規格に沿ったものであることを特徴とする請求項１０５に記載のシステム。
【請求項１０８】
前記標準規格が、ＣＢＥＦＦ（Ｃｏｍｍｏｎ  Ｂｉｏｍｅｔｒｉｃ  Ｅｘｃｈａｎｇｅ  Ｆｉｌｅ  Ｆｏｒｍａｔ）標準規格であることを特徴とする請求項１０７に記載のシステム。
【請求項１０９】
前記デジタルテンプレートが、声紋を含むことを特徴とする請求項１０５に記載のシステム。
【請求項１１０】
前記デジタルテンプレートが、フェイスプリントを含むことを特徴とする請求項１０５に記載のシステム。
【請求項１１１】
前記デジタルテンプレートが、虹彩スキャンを含むことを特徴とする請求項１０５に記載のシステム。
【請求項１１２】
前記デジタルテンプレートが、網膜スキャンを含むことを特徴とする請求項１０５に記載のシステム。
【請求項１１３】
前記デジタルテンプレートが、ハンドスキャンを含むことを特徴とする請求項１０５に記載のシステム。
【請求項１１４】
前記データ入力装置が、前記バイオメトリック情報を提供することを前記個人に促すようさらに設定されていることを特徴とする請求項１０４に記載のシステム。
【請求項１１５】
前記バイオメトリック情報は、前記個人の身体の一部から発する信号を含むことを特徴とする請求項１０４に記載のシステム。
【請求項１１６】
前記信号が、画像であることを特徴とする請求項１１５に記載のシステム。
【請求項１１７】
前記信号が、光であることを特徴とする請求項１１５に記載のシステム。
【請求項１１８】
前記信号が、電荷であることを特徴とする請求項１１５に記載のシステム。
【請求項１１９】
前記信号が、音であることを特徴とする請求項１１５に記載のシステム。
【請求項１２０】
前記信号が、圧力であることを特徴とする請求項１１５に記載のシステム。
【請求項１２１】
前記身体の一部が、少なくとも指の一部を含むことを特徴とする請求項１１５に記載のシステム。
【請求項１２２】
前記身体の一部が、少なくとも手の一部を含むことを特徴とする請求項１１５に記載のシステム。
【請求項１２３】
前記信号が、前記手から機器を通じて転送されることを特徴とする請求項１１５に記載のシステム。
【請求項１２４】
前記機器が、スタイラスであることを特徴とする請求項１２３に記載のシステム。
【請求項１２５】
前記機器が、筆記用具であることを特徴とする請求項１２３に記載のシステム。
【請求項１２６】
前記身体の一部が、少なくとも口の一部を含むことを特徴とする請求項１１５に記載のシステム。
【請求項１２７】
前記身体の一部が、少なくとも目の一部を含むことを特徴とする請求項１１５に記載のシステム。
【請求項１２８】
前記身体の一部が、少なくとも虹彩の一部を含むことを特徴とする請求項１１５に記載のシステム。
【請求項１２９】
前記身体の一部が、少なくとも網膜の一部を含むことを特徴とする請求項１１５に記載のシステム。
【請求項１３０】
前記身体の一部が、少なくとも顔の一部を含むことを特徴とする請求項１１５に記載のシステム。
【請求項１３１】
前記身体の一部が、少なくとも血管の一部を含むことを特徴とする請求項１１５に記載のシステム。
【請求項１３２】
前記処理装置が、
前記バイオメトリック情報を受信し、前記識別情報を受信し、前記参加者が本人であることを団体に通知するために設定されていることを特徴とする請求項１０４に記載のシステム。
【請求項１３３】
サーティファイアに前記バイオメトリック情報が前記個人からのものであることを証明させる手段をさらに備えることを特徴とする請求項１０４に記載のシステム。
【請求項１３４】
サーティファイアに前記識別情報が前記個人からのものであることを証明させる手段をさらに備えることを特徴とする請求項１０４に記載のシステム。
【請求項１３５】
前記処理装置と、
前記サーティファイアとをさらに備え、
該処理装置が、前記サーティファイアから前記第１のバイオメトリック情報を受信し、該第１のサーティファイアバイオメトリック情報と第２のバイオメトリック情報とを比較するよう設定されていることを特徴とする請求項１０４に記載のシステム。
【請求項１３６】
前記サーティファイアが公証人であることを特徴とする請求項１０４に記載のシステム。
【請求項１３７】
前記データ入力装置が、電子公証文書を取得するように設定されていることを特徴とする請求項１０４に記載のシステム。
【請求項１３８】
電子取引における参加者の本人確認をするためのシステムであって、
電子通信ネットワーク上で前記参加者から取得した第１の身体的バイオメトリック情報を受信し、該第１の身体的バイオメトリック情報と第２のバイオメトリック情報とを比較するよう設定された処理装置と、
前記処理装置に前記第２のバイオメトリック情報を提供するよう設定されたデータ格納デバイスと
を備えることを特徴とするシステム。
【請求項１３９】
前記第１の身体的バイオメトリック情報が、第１のデジタルテンプレートを含むことを特徴とする請求項１３８に記載のシステム。
【請求項１４０】
前記デジタルテンプレートが、詳細テンプレートを含むことを特徴とする請求項１３８に記載のシステム。
【請求項１４１】
前記デジタルテンプレートが、標準規格に沿ったものであることを特徴とする請求項１３９に記載のシステム。
【請求項１４２】
前記標準規格が、ＣＢＥＦＦ（Ｃｏｍｍｏｎ  Ｂｉｏｍｅｔｒｉｃ  Ｅｘｃｈａｎｇｅ  Ｆｉｌｅ  Ｆｏｒｍａｔ）標準規格であることを特徴とする請求項１４１に記載のシステム。
【請求項１４３】
前記デジタルテンプレートが、声紋を含むことを特徴とする請求項１３９に記載の記載のシステム。
【請求項１４４】
前記デジタルテンプレートが、フェイスプリントを含むことを特徴とする請求項１３９に記載の記載のシステム。
【請求項１４５】
前記デジタルテンプレートが、虹彩スキャンを含むことを特徴とする請求項１３９に記載の記載のシステム。
【請求項１４６】
前記デジタルテンプレートが、網膜スキャンを含むことを特徴とする請求項１３９に記載の記載のシステム。
【請求項１４７】
前記デジタルテンプレートが、ハンドスキャンを含むことを特徴とする請求項１３９に記載の記載のシステム。
【請求項１４８】
前記第２のバイオメトリック情報が、第２のデジタルテンプレートを含むことを特徴とする請求項１３８に記載のシステム。
【請求項１４９】
前記デジタルテンプレートが、詳細テンプレートであることを特徴とする請求項１４８に記載のシステム。
【請求項１５０】
前記デジタルテンプレートが、標準規格に沿ったものであることを特徴とする請求項１４８に記載のシステム。
【請求項１５１】
前記標準規格が、ＣＢＥＦＦ（Ｃｏｍｍｏｎ  Ｂｉｏｍｅｔｒｉｃ  Ｅｘｃｈａｎｇｅ  Ｆｉｌｅ  Ｆｏｒｍａｔ）標準規格であることを特徴とする請求項１５０に記載のシステム。
【請求項１５２】
前記デジタルテンプレートが、声紋を含むことを特徴とする請求項１４８に記載の記載のシステム。
【請求項１５３】
前記デジタルテンプレートが、フェイスプリントを含むことを特徴とする請求項１４８に記載のシステム。
【請求項１５４】
前記デジタルテンプレートが、虹彩スキャンを含むことを特徴とする請求項１４８に記載の本人確認システム。
【請求項１５５】
前記デジタルテンプレートが、網膜スキャンを含むことを特徴とする請求項１４８に記載のシステム。
【請求項１５６】
前記デジタルテンプレートが、ハンドスキャンを含むことを特徴とする請求項１４８に記載のシステム。
【請求項１５７】
前記第１の身体的バイオメトリック情報を受信し、該第１の身体的バイオメトリック情報を前記処理装置に提供するように設定されたセンサーをさらに備えることを特徴とする請求項１３８に記載のシステム。
【請求項１５８】
前記身体的バイオメトリック情報が、前記参加者の身体の一部から発する信号を含むことを特徴とする請求項１５７に記載のシステム。
【請求項１５９】
前記信号が、画像であることを特徴とする請求項１５８に記載のシステム。
【請求項１６０】
前記信号が、光であることを特徴とする請求項１５８に記載のシステム。
【請求項１６１】
前記信号が、電荷であることを特徴とする請求項１５８に記載のシステム。
【請求項１６２】
前記信号が、音であることを特徴とする請求項１５８に記載のシステム。
【請求項１６３】
前記信号が、圧力であることを特徴とする請求項１１５８に記載のシステム。
【請求項１６４】
前記身体の一部が、少なくとも指の一部を含むことを特徴とする請求項１５８に記載のシステム。
【請求項１６５】
前記身体の一部が、少なくとも手の一部を含むことを特徴とする請求項１５８に記載のシステム。
【請求項１６６】
前記身体の一部が、少なくとも口の一部を含むことを特徴とする請求項１５８に記載のシステム。
【請求項１６７】
前記身体の一部が、少なくとも目の一部を含むことを特徴とする請求項１５８に記載のシステム。
【請求項１６８】
前記身体の一部が、少なくとも虹彩の一部を含むことを特徴とする請求項１５８に記載のシステム。
【請求項１６９】
前記身体の一部が、少なくとも網膜の一部を含むことを特徴とする請求項１５８に記載のシステム。
【請求項１７０】
前記身体の一部が、少なくとも顔の一部を含むことを特徴とする請求項１５８に記載のシステム。
【請求項１７１】
前記身体の一部が、少なくとも血管の一部を含むことを特徴とする請求項１５８に記載のシステム。
【請求項１７２】
前記処理装置が、第１のデジタルテンプレートと第２のデジタルテンプレートとの違いを識別するようにさらに設定されていることを特徴とする請求項１３８に記載のシステム。
【請求項１７３】
前記処理装置が、第１のデジタルテンプレートと第２のデジタルテンプレートとの類似性を識別するようにさらに設定されていることを特徴とする請求項１３８に記載のシステム。
【請求項１７４】
前記処理装置が、第１のデジタルテンプレートと第２のデジタルテンプレートとを利用して、統計的検査を実行するようにさらに設定されていることを特徴とする請求項１３８に記載のシステム。
【請求項１７５】
前記処理装置が、確認レポートを提供するようにさらに設定されていることを特徴とする請求項１３８に記載のシステム。
【発明の詳細な説明】
【技術分野】
【０００１】
本発明は、電子取引の保護、特に電子取引参加者の本人確認をすることに関する。
【背景技術】
【０００２】
一般に、名前、住所、生年月日、母方の名前、社会保障番号及びデジタル証明書等の情報の提示を求めることによって、ある取引参加者が他の取引参加者の本人確認をすることがある。取引の中には、本人確認をするために、取引参加者ではない第三者が介入するものもある。取引参加者ではない第三者が本人確認をする場合でも、第三者は前記情報と同様の情報が求められる。前記情報は盗まれ易く、他者に被害を与えるような不正行為に悪用されうる。
【発明の開示】
【発明が解決しようとする課題】
【０００３】
従って、電子取引参加者の本人確認のためのより改良された装置及び方法を提供することが望ましい。
【０００４】
本発明は、電子取引参加者の本人確認のための、より改良された装置及び方法を提供することを目的とする。
【課題を解決するための手段】
【０００５】
本発明によれば、識別情報管理装置内にバイオメトリック情報を登録するシステム及び方法が提供される。前記システム及び方法は、ある個人からバイオメトリック情報を受信し、その個人から識別情報を受信し、その識別情報が当該個人が本人であることの確認を証明することを特徴とする。
【０００６】
また、本発明によれば、電子取引参加者が本人であることを確認するシステム及び方法が提供される。前記システムと方法は、電子通信ネットワーク上において、参加者から得た第１の身体的バイオメトリック情報を受信し、該第１の身体的バイオメトリック情報と第２のバイオメトリック情報とを比較することを特徴とする。
【０００７】
本発明の前述した目的と効果は以下の詳細な説明を添付図面と照らし合わせることにより、より明らかになるであろう。尚、各図面では同じ参照符号は同じ構成部品を指している。
【発明の効果】
【０００８】
本発明によれば、電子取引参加者の本人確認のための、より改良された装置及び方法を提供することができる。
【発明を実施するための最良の形態】
【０００９】
本発明は、識別情報管理装置内にバイオメトリック情報を登録するシステム及び方法を提供する。本発明にかかる方法は、個人からバイオメトリック情報を受信し、前記個人から識別情報を受信し、前記バイオメトリック情報が前記個人を認証することを証明することを特徴とする。本発明の実施形態において、前記方法は、前記識別情報が前記個人を認証することを証明することを特徴とする。
【００１０】
本発明にかかるシステムは、個人からバイオメトリック情報を受信し、前記バイオメトリック情報を装置へ通知するために設定されたセンサー及び少なくとも１つのアクセスデバイスとを備えることを特徴とする。また、１つ又は複数のアクセスデバイスが、個人から識別情報を受信するように設定してもよい。さらに、１つ又は複数のアクセスデバイスが、サーティファイアから認証情報を受信するように設定することを特徴とする。さらにまた、１つ又は複数のアクセスデバイスは、１つ又は複数の識別情報及び認証情報を装置へ通知するために設定され、当該認証情報は、前記識別情報が前記個人の本人確認を証明することを特徴とする。ここで使用される「処理装置」及び「装置」という用語は、１つ又は複数の物理的位置に存在しうる、１つ又は複数の物理的デバイスを意味する。システムはここに示された或いは説明されたいかなる方法やプロセスを実行するために提供することを特徴とする。
【００１１】
また、識別情報は、文書情報を含むことを特徴とする。さらに、識別情報は、個人情報を含むことを特徴とする。例えば、識別情報は、１つ又は複数の名前、アドレス、生年月日、母方の名前、社会保障番号、証明書、デジタル証明書、パスポート、出生証明書、免許証、写真、公証文書、クレジットカード、身分証明書、卒業証書、社会保障カード、法律文書その他の文書や記事を含む。
【００１２】
本発明の実施形態においては、バイオメトリック情報が固体に由来することを認証情報によって証明する。本発明の実施形態においては、識別情報が個人の本人確認を行うことを認証情報によって証明する。本発明の実施形態においては、個人がサーティファイアへ識別情報を提示したことを認証情報によって証明する。本発明の実施形態においては、バイオメトリック情報は、個人から得たものであることを認証情報によって証明する。また、バイオメトリック情報は、参加者を識別することを特徴とする。さらに、識別情報は、参加者を識別することを特徴とする。
【００１３】
バイオメトリック情報は、デジタルテンプレートを含むことを特徴とする。デジタルテンプレートは、センサーによって受信される信号に対応するデジタルデータを含むことを特徴とする。また、デジタルテンプレートは、詳細テンプレートを含むことを特徴とする。さらに、デジタルテンプレートは、標準規格に適合することを特徴とする。尚、前記標準規格は、Ｃｏｍｍｏｎ  Ｂｉｏｍｅｔｒｉｃ  Ｅｘｃｈａｎｇｅ  Ｆｉｌｅ  Ｆｏｒｍａｔ（以下、ＣＢＥＦＦ）標準規格である。また、本実施形態では、以下のことを特徴とする。当該デジタルテンプレートは指紋を含んでもよい。当該デジタルテンプレートは声紋を含んでもよい。当該デジタルテンプレートはフェイスプリントを含んでもよい。当該フェイスプリントは人の顔の視像であってもよい。当該デジタルテンプレートは虹彩スキャンを含んでもよい。当該デジタルテンプレートは網膜スキャンを含んでもよい。当該デジタルテンプレートはハンドスキャンを含んでもよい。当該デジタルテンプレートは署名スキャンを含んでもよい。当該デジタルテンプレートは血管スキャンを含んでもよい。バイオメトリック情報を受信することは、バイオメトリック情報を迅速に提供するように個人に促すことを含む。
【００１４】
本発明の実施形態において、センサーは、個人の身体の一部から発する信号を受信するよう設定されている。そして、本実施形態では、以下のことを特徴とする。当該信号は画像を含んでもよい。当該信号は光を含んでもよい。当該信号は電荷を含んでもよい。当該信号は音を含んでもよい。当該信号は圧力を含んでもよい。
【００１５】
また、当該身体の一部は指の一部を含んでもよい。当該身体の一部は手の一部を含んでもよい。本発明の実施形態において、前記信号は、ある機器を通じて手からデバイスへ送信されるものである。そして、以下のことを特徴とする。当該機器はスタイラスであってもよい。当該機器は筆記用具であってもよい。
【００１６】
また、上記身体の一部は口の一部を含んでもよい。当該身体の一部は目の一部を含んでもよい。当該目の一部は虹彩の一部を含んでもよい。当該目の一部は網膜の一部を含んでもよい。当該身体の一部は顔の一部を含んでもよい。当該の一部は血管の一部を含んでもよい。当該血管は静脈であってもよい。当該血管は動脈であってもよい。当該血管は毛細管であってもよい。
【００１７】
本発明の実施形態において、証明することは識別情報を確証することを含む。そして、以下のことを特徴とする。当該確証は住所の確認を含んでもよい。当該確証は名前の確認を含んでもよい。当該確証は生年月日の確認を含んでもよい。当該確証は識別番号の確認を含んでもよい。当該識別番号は社会保障番号を含んでもよい。当該確証は免許証情報の確認を含んでもよい。当該免許証情報は自動車運転免許証情報を含んでもよい。
【００１８】
本発明の実施形態では、サーティフィアの提供を含んでもよい。本発明の実施形態において、バイオメトリック情報を受信することは、サーティファイアを介在させて個人からバイオメトリック情報を受信することを含む。本発明の実施形態において、識別情報を受信することは、サーティファイアを介在させて個人から識別情報を受信することを含む。
【００１９】
また、証明することは、サーティファイアが本人であることを確認することを含む。さらに、サーティファイアが本人であることを確認することは、サーティファイアより第１のサーティファイアのバイオメトリック情報を受信し、当該第１のサーティファイアのバイオメトリック情報と第２のバイオメトリック情報とを比較することを含む。さらにまた、確認することは、サーティファイアに証明書を提供することを含む。さらに、以下のことを特徴とする。前記証明書は免許証である。前記免許証は公証人免許証である。証明は文書を公証することを含む。公証は、電子的に文書を公証することを含む。前記文書は電子文書である。
【００２０】
本発明は、電子取引参加者が本人であることを確認するシステム及び方法を提供することを特徴とする。本発明にかかる方法は、電子通信ネットワークを通じ、参加者の第１の身体的バイオメトリック情報を受信し、第１の身体的バイオメトリック情報と第２のバイオメトリック情報とを比較することを特徴とする。また、前記方法は、第２のバイオメトリック情報をデータ格納デバイスから取り出すことを特徴とする。さらに、以下のことを特徴とする。
【００２１】
当該取引は電子商取引である。当該取引は電子ビジネス取引である。当該取引は商品の購入に関するものである当該取引はサービスの購入に関するものである当該取引は商品の購入に関するものである。当該取引は金融証券の獲得に関するものである。当該取引は商品の購入に関するものである。当該取引は情報提供に関するものである。当該取引は情報転送に関するものである。当該取引はファンド・トランスファーに関するものである。
【００２２】
当該取引は格納された情報を処理することに関するものである。当該取引は格納された情報を取り出すことに関するものである。当該取引は情報を格納することに関するものである。当該取引は情報を修正することに関するものである。当該取引は情報をアップロードすることに関するものである。当該取引は情報をダウンロードすることに関するものである。当該取引は情報を印刷することに関するものである。
【００２３】
本発明にかかるシステムは、電子通信ネットワークを通じて参加者から第１の身体的バイオメトリック情報を受信し、第１のバイオメトリック情報と第２のバイオメトリック情報とを比較するよう設定された処理装置と、第２のバイオメトリック情報を前記処理装置へ提供するよう設定されたデータ格納デバイスとを備えることを特徴とする。
【００２４】
そして、ここで使用されているように、身体的バイオメトリック情報は個人の行動に依存しない。行動依存的バイオメトリック情報は、バイオメトリック情報を受信した個人の行動次第である。例えば、２つの異なった声紋を作成するために異なった声を出すことにより、個人は２つの異なった声紋を作成することができる。また、２つの異なった書き方で、個人は２つの異なった署名を作成することができる。従って、声紋と署名は個人の行動に依存する。個人は、異なる行動をすることにより、異なった身体バイオメトリック情報を作り出すことはできない。
【００２５】
第１の身体的バイオメトリック情報は、第１のデジタルテンプレートを含み、それは前記デジタルテンプレートに関連して説明されている１つ以上の特徴をもつことを特徴とする。第２の身体的バイオメトリック情報は、第２のデジタルテンプレートを含み、それは前記デジタルテンプレートに関連して説明されている、１つ以上の特徴をもつことを特徴とする。
【００２６】
本発明の実施形態において、受信をすることには、あるフォーマットに適合したデータを受信することを含む。そして、以下のことを特徴とする。前記フォーマットは、マークアップ言語フォーマットである。前記フォーマットは、ハイパーテキストマークアップ言語と適合するフォーマットである。前記フォーマットは、拡張マークアップ言語と適合するフォーマットである。
【００２７】
また、本発明の実施形態において、受信は、あるファイル転送プロトコルに適合するデータ転送を含む。そして、以下のことを特徴とする。前記プロトコルは、ファイル転送プロトコルである。前記プロトコルは、電子メールプロトコルである。前記メールプロトコルは、ＳＭＴＰ（Ｓｉｍｐｌｅ  Ｍａｉｌ  Ｔｒａｎｓｆｅｒ  Ｐｒｏｔｏｃｏｌ）を含む。前記プロトコルは、ＨＴＴＰ（Ｈｙｐｅｒ  Ｔｅｘｔ  Ｔｒａｎｓｆｅｒ  Ｐｒｏｔｏｃｏｌ）を含む。
【００２８】
本発明の実施形態において、受信することは、１番目のバイオメトリック情報を参加者から迅速に提供させることを含む。
【００２９】
本発明の実施形態では、参加者の身体の一部から信号を受信するように設定されたデバイスを提供する。そして、以下のことを特徴とする。前記信号はイメージを含む。前記信号は光を含む。前記信号は電荷を含む。前記信号は音を含む。前記信号は圧力を含む。
【００３０】
前記身体の一部は指の一部を含む。前記身体の一部は手の一部を含む。前記身体の一部は口の一部を含む。前記身体の一部は目の一部を含む。前記身体の一部は虹彩の一部を含む。前記身体の一部は網膜の一部を含む。本発明の実施形態において、前記身体の一部は顔の一部を含む。前記身体の一部は血管の一部を含む。前記血管は静脈である。前記血管は動脈である。前記血管は毛細血管である。
【００３１】
本発明の実施形態において、比較することは、第１のテンプレートと第２のテンプレート間の違いを識別することを含む。また、比較することは、第１のテンプレートと第２のテンプレート間の類似性を識別することを含む。さらに、比較することは、第１及び第２のテンプレートによる統計的検定を実行することを含む。無作為に選んだ第１のテンプレートと第２のテンプレートが一致してしまう可能性を計るための統計的検定を含む、あらゆる適切な統計的検定が用いられる。
【００３２】
本発明の実施形態では、確認結果レポートを作成することを特徴とする。本発明の実施形態において、前記確認結果レポートは、ある団体へ送信されることを特徴とする。前記送信は、前記団体からの身分確認要請に応じて送信することを特徴とする。前記送信は、電子通信ネットワークを通して送信されることを特徴とする。そして、以下のことを特徴とする。前記団体は商業団体である。前記団体は企業体である。前記団体は医療業務団体である。前記団体は製薬団体である。前記団体は法律業務団体である。前記団体は保険業務団体である。前記団体は製造団体である。前記団体は高度技術設計団体及び高度技術製造団体である。前記団体は教育団体である。前記団体は行政団体である。前記団体は輸送団体である。前記団体は私的団体である。前記団体は公共団体である。
【００３３】
本発明の実施形態において、本発明は、サーティファイアを介在させて個人から第２のバイオメトリック情報を受信することを特徴とする。本発明の実施形態において、本発明は、サーティファイアを介在させて個人から識別情報を受信することを特徴とする。本発明は、個人から受信した識別情報によって前記個人の本人確認を証明することを特徴とする。
【００３４】
本発明の実施形態では、前記受信、通信、記憶、そして情報解析が、それらをサポートするために適したあらゆるシステムや方法を用いて実行される。本発明の実施形態では、例えば、インターネットを基盤とした方式、或いはオンライン方式により実行される。他の実施形態においては、非オンラインクライアントやサーバもしくはピアツーピア方式を基盤とした方式が用いられる。また、必要とあれば、前記方法を組み合わせた方式が用いられる。図１及び図２は、それぞれ、本発明にしたがって情報の受信や通信、記憶、解析に用いられるインターネット及びイントラネット構成の具体例を示す図である。
【００３５】
図１は、リンク１０３からインターネット１０４を通じて接続されるアクセスデバイス１０２を備えるインターネット構成１００の具体例を示す。（インターネット構成１００は、インターネットを基盤とした装置の具体例であるが、本発明の実施形態において、インターネット構成１００は、インターネット１０４に、或いはインターネット１０４に加えて、適切な広域ネットワーク（ＷＡＮ）を用いるようにしてもよい。）アクセスデバイス１０２は、インターネット構成１００のユーザに対し、インターネットアクセスを提供するのに適したデバイス或いはデバイスの組み合わせを有している。ユーザは、個人や本人情報管理装置登録者、電子取引参加者、サーティファイア（ｃｅｒｔｉｆｉｅｒ）、本人であることを確認することを求める関係者及び団体などあらゆる適切な関係者及び団体である。
【００３６】
アクセスデバイスは、例えば、あらゆる適切なパーソナルコンピュータ（ＰＣ）やポータブルコンピュータ（例えば、ノートパソコン）、パームトップコンピュータ、ハンドヘルドコンピュータ（Ｈ／ＰＣ）、自動車のコンピュータ、インターネット接続可能な携帯電話、携帯電話及びＰＤＡの一体化したツール、電子ブックなどのインターネット接続を提供するデバイスを含む。
【００３７】
インターネット構成１００は、アクセスデバイス１０２と通信するデータ受信デバイス１０６を備える。データ受信デバイス１０６は、バイオメトリック情報を受信するのに適するあらゆる適切なデバイスである。アクセスデバイス１０２は、１つ又は複数のデータ受信デバイス１０６と通信する。デバイス１０６は、ＥＮＴＲＥＰＡＤ（登録商標）のモデルＡＥＳ４０００（フロリダ州メルボルンのオーセンティック社製）のような指紋スキャナでもよい。デバイス１０６は、ＨＡＮＤＰＵＮＣＨ  ３０００（登録商標）（カリフォルニア州、キャンベルのアイアール・レコグニション・システムズ社製）のようなハンドスキャナーでもよい。デバイス１０６は、ＥＳＩＧＮ−ＥＮＴＥＲＰＲＩＳＥ  Ｖ．３．０（カリフォルニア州、サンノゼのヴァリド社製）のような署名アナライザーでもよい。デバイス１０６は、ＭＡＲＴＩＮＡ（登録商標）や３ＰＶ（登録商標）（フロリダ州アルタモントスプリングスの３ＰＶ社製）などの音声分析器でもよい。デバイス１０６は、例えば、レティナルテクノロジーズ社製（マサチューセッツ州ボストン）などの網膜スキャナでもよい。デバイス１０６は、ＰＲＩＶＡＴＥＩＤ（登録商標）（ニュージャージー州ムーレスタウンのイリディアンテクノロジーズ社製）などの虹彩スキャナでもよい。デバイス１０６は、ＦＡＣＥＩＴ（登録商標）（ミネソタ州ミネトンカのイデンティックス社製）などのフェイススキャナでもよい。
【００３８】
デバイス１０６は、識別情報を受信するのに適切なあらゆるデバイスである。デバイス１０６は、５ＴＨ  ＳＥＮＳＥ  ＣＯＭＢＯ（登録商標）（カナダ国ブリティッシュコロンビア州バンクーバのヴェルディコムインターナショナル社製）などのカードリーダでもよい。デバイス１０６は、あらゆる適切なバーコードリーダでもよい。
【００３９】
インターネット構成１００は、本人情報管理装置や本人情報管理ウェブサイトへのインターネットアクセス或いは通信に適した、あらゆるサーバであるインターネットやアプリケーションサーバ１２２を含む本人情報管理モジュール１２０などの本人情報管理装置を含む。インターネット及びアプリケーションサーバ１２２は、マイクロソフトインターネットインフォメーションサーバである。例えば、インターネットとアプリケーションサーバ１２２は、１つ又は複数の適切なプロトコル(例えば、Ｈｙｐｅｒ  Ｔｅｘｔ  Ｔｒａｎｓｆｅｒ  Ｐｒｏｔｏｃｏｌ(ＨＴＴＰ)と伝送制御プロトコル／インターネット・プロトコル(ＴＣＰ／ＩＰ))を用いて、アクセスデバイス１０２へ１つ又は複数のページを提供する。
【００４０】
前記ページは、例えば、あらゆる適切なマークアップ言語（例えば、Ｈｙｐｅｒ Ｔｅｘｔ  Ｍａｒｋｕｐ  Ｌａｎｇｕａｇｅ（ＨＴＭＬ）、Ｈｙｐｅｒ Ｔｅｘｔ  Ｍａｒｋｕｐ  Ｌａｎｇｕａｇｅ（ＤＨＴＭＬ）、を用いる。拡張マークアップ言語（ＸＭＬ）、ＪａｖａＳｅｒｖｅｒ  Ｐａｇｅｓ（ＪＳＰ）、Ａｃｔｉｖｅ  Ｓｅｒｖｅｒ  Ｐａｇｅｓ（ＡＳＰ）などのあらゆる適切な方式）を用いることを定義されている。前記ページは、ミニプログラム(例えば、Ｐｅｒｌスクリプト、Ｊａｖａ（登録商標）アプレット、Ｅｎｔｅｒｐｒｉｓｅ  ＪａｖａＢｅａｎｓ（ＥＪＢ）などの、あらゆる適切な方式）を定義したスクリプト、コンピュータコード或いはコンピュータコードの一部を含む。本人情報管理モジュール１２０は、例えば、Ｊａｖａ  ２  Ｐｌａｔｆｏｒｍ  Ｅｎｔｅｒｐｒｉｓｅ  Ｅｄｉｔｉｏｎ（Ｊ２ＥＥ）、Ｃｏｍｐｏｎｅｎｔ  Ｏｂｊｅｃｔ  Ｍｏｄｅｌ（ＣＯＭ）、Ｄｉｓｔｒｉｂｕｔｅｄ  Ｃｏｍｐｏｎｅｎｔ  Ｏｂｊｅｃｔ  Ｍｏｄｅｌ（ＤＣＯＭ）などの、あらゆる適切な方式を用いるように構成されている。
【００４１】
データベースサーバ１２４は、本人情報のデータベースを管理するのに適切なデータベース管理システムを運営する。データベースサーバ１２４は、バイオメトリック情報のデータベースを管理するのに適切なデータベース管理システムを運営する。例えば、データベースサーバ１２４には、Ｍｉｃｒｏｓｏｆｔ  ＳＱＬ  Ｓｅｒｖｅｒ、Ｏｒａｃｌｅ、或いはＪａｖａ  Ｄａｔａｂａｓｅ  Ｃｏｎｎｅｃｔｉｖｉｔｙ（以下、ＪＤＢＣ）やＯｐｅｎ  Ｄａｔａｂａｓｅ  Ｃｏｎｎｅｃｔｉｖｉｔｙ（以下、ＯＤＢＣ）に準拠したデータベース管理システムなどの適切なデータベース管理システムが含まれる。インターネット及びアプリケーションサーバ１２２とデータベースサーバ１２４の片方又は両方の特徴は、インターネット１０４その他のあらゆる適切な通信ネットワークに相互接続された、１つのサーバか或いは複数のサーバに分かれて組み込まれるところにある。
【００４２】
リンク１０３は、アクセスデバイス１０２及びサーバ１２２、１２４、１４２、１４４などのデバイス間における電子通信に適した通信メディアを含む。リンク１０３は、デバイス１０２にアクセスするためのインターネットアクセスを提供する。リンク１０３は、例えば、ダイヤル電話回線、コンピュータネットワーク或いはインターネットリンク、赤外線リンク、高周波リンク、衛星リンク、デジタル加入者回線リンク（例えば、ＤＳＬリンク）、ケーブルテレビリンク、ＤＯＣＳＩＳリンク、或いはその他の適切な赤外線リンクなどの１つ又はそれらのリンクを組み合わせたリンクを含む。例えば、アクセスデバイス１０２の特殊性に応じて、異なったタイプのリンク１０３が存在する。本発明の実施形態において、ダイレクトコミュニケーションリンク１２３は、サーバ１２２及び１２４の間の直接通信を可能にするために存在する。リンク１２３は、リンク１０３についての特徴が１つ又は複数存在する。
【００４３】
インターネット構成１００は、電子商取引装置や電子商取引ウェブサイトへのインターネットアクセスや通信を提供するのに適切な、あらゆるインターネットサーバ及びアプリケーションサーバ１４２を含む、電子商取引モジュール１４０などの電子商取引装置を備える。インターネットとアプリケーションサーバ１４２は、インターネット及びアプリケーションサーバ１２２に関連して説明されている適切なアプリケーションを実行するか、或いは適切な特徴をもつ。
【００４４】
データベースサーバ１４４は、電子商取引情報に関するデータベースを管理するのに適切な、データベース管理システムを運営する。例えば、データベースサーバ１４４は、マイクロソフト  ＳＱＬ  サーバ、オラクル、或いはＪａｖａ  Ｄａｔａｂａｓｅ  Ｃｏｎｎｅｃｔｉｖｉｔｙ（以下ＪＤＢＣ）やＯｐｅｎ  Ｄａｔａｂａｓｅ  Ｃｏｎｎｅｃｔｉｖｉｔｙ（以下ＯＤＢＣ）に準拠したデータベース管理システムなどの適切なデータベース管理システムを運営する。データベースサーバ１４４は、インターネット及びアプリケーションサーバ１２２に関連して説明されている適切なアプリケーション実行するか、或いは適切な特徴をもつ。本発明の実施形態において、ダイレクトコミュニケーションリンク１４３は、サーバ１４２及び１４４の間の直接通信を可能にするために存在する。リンク１４３は、リンク１０３についての特徴を１つ又は複数もつ。インターネット及びアプリケーションサーバ１４２とデータベースサーバ１４４の片方又は両方の特徴は、インターネット１０４その他のあらゆる適切な通信ネットワークに相互接続された、１つのサーバ或いは複数のサーバに分かれて組み込まれるところにある。
【００４５】
リンク１０３の上で、アクセスデバイス１０２とモジュール１２０及び１４０の１つ又は両方の間の通信をサポートするのに適したあらゆるプロトコル或いはプロトコルスタックが用いられる。プロトコル或いはプロトコルスタックは、特定のデバイス１０２及びリンク１０３に基づいて選択される。例えば、イーサネット（登録商標）、トークングループ、Ｆｉｂｅｒ  Ｄｉｓｔｒｉｂｕｔｅｄ  Ｄａｔａ  Ｉｎｔｅｒｆａｃｅ （ＦＤＤＩ）、 Ｃｉｒｃｕｉｔ−Ｓｗｉｔｃｈｅｄ  Ｃｅｌｌｕｌａｒ （ＣＳＣ）、 Ｃｅｌｌｕｌａｒ  Ｄｉｇｉｔａｌ  Ｐａｃｋｅｔ  Ｄａｔａ（ＣＤＰＤ）、 ＲＡＭ  モバイルデータ、 Ｇｌｏｂａｌ  Ｓｙｓｔｅｍ  ｆｏｒ  Ｍｏｂｉｌｅ   ｃｏｍｍｕｎｉｃａｔｉｏｎｓ （ＧＳ）、 ｔｉｍｅ  ｄｉｖｉｓｉｏｎ  ｍｕｌｔｉｐｌｅ  ａｃｃｅｓｓ （ＴＤＭＡ）、 ｃｏｄｅ  ｄｉｖｉｓｉｏｎ  ｍｕｌｔｉｐｌｅ  ａｃｃｅｓｓ （ＣＤＭＡ）、 ｗｉｒｅｌｅｓｓ  ａｐｐｌｉｃａｔｉｏｎ  ｐｒｏｔｏｃｏｌ （ＷＡＰ）、 ｓｅｒｉａｌ  ｌｉｎｅ  Ｉｎｔｅｒｎｅｔ  ｐｒｏｔｏｃｏｌ  （ＳＬＩＰ）、 ｐｏｉｎｔ  ｔｏ  ｐｏｉｎｔ  ｐｒｏｔｏｃｏl （ＰＰＰ）、 伝送制御プロトコル／インターネット・プロトコル（ＴＣＰ／ＩＰ）、 Ｓｅｑｕｅｎｃｅｄ  Ｐａｃｋｅｔ  Ｅｘｃｈａｎｇｅ  ａｎｄ Ｉｎｔｅｒｎｅｔｗｏｒｋ  Ｐａｃｋｅｔ  Ｅｘｃｈａｎｇｅ  （ＳＰＸ／ＦＰＸ） プロトコルなどの適切な１つ又は複数を組み合わせたプロトコルが用いられる。
【００４６】
図２は、有線、ファイバ或いは無線のローカルエリアネットワーク（ＬＡＮ）或いは他のあらゆる適切なネットワークであるネットワーク２０４を含む、イントラネット構成２００の具体例を示す図である。パーソナルコンピュータ及びそれらがネットワークを通じて相互接続されることは既知である。１つ又は複数のパーソナルコンピュータ２０２は、イントラネット構成２００のユーザへアクセスするためのネットワークを提供するのに適切な電子メール、ＨＴＴＰ或いはその他のクライアントやクライアントアプリケーションを実行する。適切な方式において、２０２などの１つ又は複数のパーソナルコンピュータは、インターネットサーバを通じてインターネットに接続するのに適切なインターネットブラウザを実行する（不図示）。必要とあれば、パーソナルコンピュータ２０２は、ユーザにリモートアクセスを提供するために、リモートアクセスデバイス２０５によりシステムにアクセスする。リモートアクセスデバイス２０５は、リモートアクセス可能なパーソナルコンピュータ、パーソナルデジタルアシスタント、携帯電話などのあらゆる適切なデバイスである。
【００４７】
それぞれデータの受信デバイス２０６は、パーソナルコンピュータ２０２の１つと通信する。デバイス２０６は、（図１に示す）データ受信デバイス１０６に関連して説明されているいかなるデバイスを含む、バイオメトリック情報を受信するのに適したあらゆるデバイスである。
【００４８】
イントラネット構成２００は、ネットワークを基盤とした、本人情報管理装置とのアクセスやその他の通信を提供するのに適した、アプリケーションサーバ２２２を含む、本人情報管理モジュール２２０などの本人情報管理装置を備える。アプリケーションサーバ２２２は、インターネット及びアプリケーションサーバ１２２（図１）に関連して説明されている、アプリケーションの１つ又は複数のバージョンを含むあらゆる適切なアプリケーションを実行し、またアプリケーションサーバ１２２の１つ又は複数の特徴を持つ。モジュール２２０は、本人情報データベースを管理するのに適したデータベース管理システムを運営するデータベースサーバ２２４を含む。モジュール２２０は、バイオメトリック情報データベースを管理するのに適したデータベース管理システムを運営するデータベースサーバ２２４を含む。データベースサーバ２２４は、データベースサーバ１２４に関連して説明されているいかなる適切な１つ又は複数のバージョンのアプリケーションを実行する。
【００４９】
サーバ２２２と２２４の片方又は両方の特徴は、ネットワーク２０４その他のあらゆる適切な通信ネットワークに相互接続された、１つのサーバ或いは複数のサーバに分かれて組み込まれるところにある。
【００５０】
イントラネット構成２００は、ネットワークを基盤とした、電子ビジネス装置とのアクセスを提供するのに適した、アプリケーションサーバ２４２を含む電子ビジネスモジュール２４０などの、電子ビジネス装置を備える。アプリケーションサーバ２４２は、インターネット及びアプリケーションサーバ１４２（図１）に関連して説明されているアプリケーションの１つ又は複数のバージョンを含むあらゆる適切なアプリケーションを実行し、またアプリケーションサーバ１４２の１つ又は複数の特徴を持つ。
【００５１】
データベースサーバ２４４は、ビジネス情報のデータベースを管理するのに適したデータベース管理システムを運営する。データベースサーバ２４４は、（図１に示す）データベースサーバ１４４に関連するあらゆる適切な１つ或いは複数のバージョンのアプリケーションを運営する。
【００５２】
リンク２０３は、パーソナルコンピュータ２０２及びサーバ２２２、２２４、２４２、２４４などのデバイス間の電子通信を提供するのに適切なあらゆる通信メディアを含む。アクセスデバイス２０２は、パーソナルコンピュータ２０２にネットワークアクセスを提供する。リンク２０３は、例えば、ダイヤル電話回線、コンピュータネットワーク或いはインターネットリンク、赤外線リンク、無線周波リンク、衛星リンク、デジタル加入者回線リンク(例えば、ＤＳＬリンク)、ケーブルテレビリンク、ＤＯＣＳＩＳリンクなどの適切な１つ又はそれらのリンクを組み合わせた通信リンクを含む。例えば、アクセスデバイス２０２の特殊性に応じて、異なったタイプのリンク２０３が存在する。
【００５３】
本発明の実施形態において、ダイレクトコミュニケーションリンク２４３は、サーバ２４２及び２４４の間の直接通信を可能にするために存在する。リンク２４３は、リンク２０３に１つ又は複数の特徴を持つ。
【００５４】
リンク２０３の上で、アクセスデバイス２２０とモジュール２２０及び２４０の１つ又は両方の間の通信をサポートするのに適した、あらゆるプロトコル或いはプロトコルスタックが用いられる。プロトコル或いはプロトコルスタックは、特定のデバイス２０２及びリンク２０３に基づいて選択される。例えば、イーサネット（登録商標）、トークングループ、Ｆｉｂｅｒ  Ｄｉｓｔｒｉｂｕｔｅｄ  Ｄａｔａ  Ｉｎｔｅｒｆａｃｅ （ＦＤＤＩ）、 Ｃｉｒｃｕｉｔ−Ｓｗｉｔｃｈｅｄ  Ｃｅｌｌｕｌａｒ （ＣＳＣ）、 Ｃｅｌｌｕｌａｒ  Ｄｉｇｉｔａｌ  Ｐａｃｋｅｔ  Ｄａｔａ（ＣＤＰＤ）、 ＲＡＭ  モバイルデータ、 Ｇｌｏｂａｌ  Ｓｙｓｔｅｍ  ｆｏｒ  Ｍｏｂｉｌｅ   ｃｏｍｍｕｎｉｃａｔｉｏｎｓ （ＧＳ）、 ｔｉｍｅ  ｄｉｖｉｓｉｏｎ  ｍｕｌｔｉｐｌｅ  ａｃｃｅｓｓ （ＴＤＭＡ）、 ｃｏｄｅ  ｄｉｖｉｓｉｏｎ  ｍｕｌｔｉｐｌｅ  ａｃｃｅｓｓ （ＣＤＭＡ）、 ｗｉｒｅｌｅｓｓ  ａｐｐｌｉｃａｔｉｏｎ  ｐｒｏｔｏｃｏｌ （ＷＡＰ）、 ｓｅｒｉａｌ  ｌｉｎｅ  Ｉｎｔｅｒｎｅｔ  ｐｒｏｔｏｃｏｌ  （ＳＬＩＰ）、 ｐｏｉｎｔ  ｔｏ  ｐｏｉｎｔ  ｐｒｏｔｏｃｏl （ＰＰＰ）、 伝送制御プロトコル／インターネット・プロトコル（ＴＣＰ／ＩＰ）、 Ｓｅｑｕｅｎｃｅｄ  Ｐａｃｋｅｔ  Ｅｘｃｈａｎｇｅ  ａｎｄ Ｉｎｔｅｒｎｅｔｗｏｒｋ  Ｐａｃｋｅｔ  Ｅｘｃｈａｎｇｅ  （ＳＰＸ／ＦＰＸ） プロトコルなどの適切な１つ又は複数を組み合わせたプロトコルが用いられる。
【００５５】
図３は、１つ又は複数のアクセスデバイス１０２（図１）、パーソナルコンピュータ２０２とリモートアクセスデバイス２０５（図２）による具体的で一般的な構成３００を示す図である。例えば、構成３００は、ユーザ入力デバイス３０２、処理回路３０４、通信デバイス３０６、ストレージデバイス３０８、及びディスプレイデバイス３１０を備える。ユーザ入力デバイス３０２は、あらゆる適切な入力デバイスである。例えば、ユーザ入力デバイス３０２は、ポインティングデバイス、キーボード、スキャナ、カメラ、タッチパッド、タッチスクリーン、ペン型スタイラス、音声認識システム、マウス、トラックボール、ジョイスティックなどのあらゆる適切なユーザ入力デバイスを含む。
【００５６】
処理回路３０４は、インテルコーポレーション社（カリフォルニア州サンタクララ）製のインテル（登録商標）とペンティアム（登録商標）などの１つ又は複数のあらゆる適切な処理装置やマイクロプロセッサそしてその他の適切な回路(例えば、入出力Ｉ／Ｏ回路、メモリーアクセス（ＤＭＡ）等)を含む。通信デバイス３０６は、リンク１０３（図１）及び２０３（図２）上の通信をサポートするのに適したあらゆるデバイスである。例えば、通信デバイス３０６は、モデム(例えば、アナログやデジタル規格、ケーブル、又は携帯電話用のあらゆる適切なモデム)、ネットワークインタフェースカード(例えば、イーサネット（登録商標）カード、トークングループカードなど)、無線トランシーバ(例えば、赤外線、ラジオ、などのあらゆる適切なアナログ、又はデジタルトランシーバも)などのあらゆる適切な通信デバイスを含む。格納デバイス３０８は、ＲＡＭ、ＲＯＭ、フラッシュメモリ、ハードディスクドライブのような、あらゆる適切なメモリ、格納デバイス、或いはそれらの組合せである。例えば、ディスプレイデバイス３１０は、ブラウン管（ＣＲＴ）モニタ、液晶ディスプレイ（ＬＣＤ）、音声合成処理装置やスピーカ、或いは他のあらゆる適切なユーザ出力デバイスを含む。
【００５７】
図４は、１つ又は複数のデータ受信デバイス１０６及び２０６（それぞれ図１、図２に示す）を説明するための、具体的で一般的な構成４００を示す図である。構成４００は、身体からバイオメトリック信号を受信するように設定されており、その身体とは人体である。構成４００は、身体からバイオメトリック情報を受信するためのあらゆる適切なセンサーであるセンサー４０２を備える。センサー４０２は、バイオメトリック信号を提供する、あらゆる身体の特徴を感知する。例えば、センサー４０２は、１つ又は複数の光の強さ、光の色、圧力、電気容量、電荷、熱、音などのあらゆる適切な量を感知する。センサー４０２は、上述したように、デバイス１０６及び２０６に存在するあらゆるセンサーを含む。
【００５８】
本発明の実施形態において、構成４００は、回路３０４に関連して説明されているあらゆる特徴をもつ処理装置４０４を備える。処理装置４０４は、センサー４０２を制御するための制御回路４０６を含む。処理装置４０４は、センサー４０２より受信したバイオメトリック情報信号を処理するための処理回路４０８を備える。処理装置４０４は、別のデバイスへ通信するためのバイオメトリック情報を処理する。構成４００は、制御回路４０６に要求される、あらゆる適切な指示やパラメータを格納している格納デバイス４１０を備える。デバイス４１０は、バイオメトリック情報を格納する。構成４００は、ユーザにあらゆる適切なメッセージを提供するディスプレイ装置４１２を備える。前記メッセージは、センサー４０２に信号を提供するようユーザに指示をする。前記メッセージは、信号が適切に受信されたことをユーザに伝える。前記メッセージは、信号が適切に受信されなかったことをユーザに伝える。構成４００は、通信デバイス４１４を備える。通信デバイス４１４は、構成３００（図３）に示されているように、他のデバイスにバイオメトリック情報を提供する。
【００５９】
図５及び図６は、本人情報管理装置においてバイオメトリック情報を登録するために、本発明に従って実行される具体的なステップを説明するためのフローチャートである。図５及び図６に示されるステップは、具体例に過ぎず、あらゆる適切な順番で実行可能である。実際には、いくつかのステップが追加されたり、いくつかのステップが削除されたりする。図５及び図６に示されるステップは、さまざまなプロセスを実行し、またさまざまな表示を提供することにより、ユーザが本人情報管理装置と相互にやりとりをし合う機会を与える。例えば、これらのステップや他のステップの中には、前記機会を提供するのに適した画面を生成する、或いはダウンロードするためにプログラムされたクライアントアプリケーションやピアアプリケーションなどのあらゆる適した方式を用いて実行されるものもある。
【００６０】
インターネット構成１００（図１）において、例えば、１つ又は複数のアクセスデバイス１０２がウェブブラウザのようなクライアントを基盤としたアプリケーションを実行するために用いられる。イントラネット構成２００（図２）において、例えば、１つ又は複数のパーソナルコンピュータ２０２がクライアントを基盤としたアプリケーションが実行される。
【００６１】
インターネット構成１００（図１）において、例えば、図５及び図６に示されているステップの中には、アクセスデバイス１０２、データ受信装置１０６、本人情報管理モジュール１２０、インターネット及びアプリケーションサーバ１２２、データベースサーバ１２４により、例えば、アクセスデバイス１０２の処理能力及び格納能力、使用されるマークアップ言語文書のために選択された手段、それらの操作に必要となる処理やその他の要因に応じて実行される。
【００６２】
イントラネット構成２００（図２）のようなイントラネット回路において、前記処理はパーソナルコンピュータ２０２、データ受信デバイス２０６、リモートアクセスデバイス２０５、アプリケーションサーバ２４２及びデータベースサーバ２４４によって実行される。前記処理は、前記操作において選択されたシステムの手段や必要となる処理に応じて、複数のピアアプリケーション間で分配される。本発明の実施形態において、ステップの中はサーティファイアによって実行されるものがある。サーティファイアは人間であってもよい。
【００６３】
本発明を明確にするために、以下では図５及び図６に示されているステップを説明するが、それらは例えば、インターネット構成１００及びイントラネット構成２００（それぞれ図１及び２）の全部又は一部のような、あらゆる適切な情報処理システムを備えることを目的とする「本人登録システム」により実行される。本発明の実施形態において、前記本人登録システムにはサーティファイアを含む。
【００６４】
例えば、本人登録プロセス５００は、登録者からのバイオメトリック情報と、登録者から提供された識別情報を登録するために使用される。プロセス５００は、バイオメトリック情報と識別情報との間の関係を登録するために用いられる。プロセス５００は、サーティファイアによって実行されるステップ５０２を含む。ステップ５０６において、サーティファイアは、登録者からあらゆる適切な識別情報を受信する。ステップ５０８において、サーティファイアは、識別情報を承認又は非承認とする。承認或いは非承認とすることは、あらゆる適切な基準を基にして行われる。
【００６５】
識別情報が承認されなかった場合は、登録プロセス５００はステップ５１０で終了する。識別情報が承認された場合、プロセス５００は、１つ又は複数のアクセスデバイス１０２、データ受信デバイス１０６、本人情報管理モジュール１２０（全て図１）、パーソナルコンピュータ２０２、データ受信デバイス２０６及び情報管理モジュール２２０（全て図２）によって実行されるステップ５０４において継続される。
【００６６】
ステップ５１２において、サーティファイアは、本人情報管理モジュール１２０或いは２２０へサーティファイア情報を通知する。（ここに用いられているように、「サーティファイア情報」は、サーティファイアに関する情報であり、「サーティファイア情報」は、識別情報及びバイオメトリック情報の両方を証明するために用いられる情報である。）前記サーティファイア情報は、サーティファイアのバイオメトリック情報を含む。前記バイオメトリック情報は、データ受信デバイス１０６（図１）或いは２０６（図２）のようなデータ受信デバイスを通じて通知される。前記サーティファイア情報は、サーティファイア識別情報を含む。前記サーティファイア情報は、アクセスデバイス１０２（図１）或いはパーソナルコンピュータ２０２（図２）のようなデバイスを通じて通知される。
【００６７】
ステップ５１４において、本人登録システムは、前記サーティファイア情報を承認又は非承認とする。前記システムは、データベースサーバ１２４や２２４（それぞれ図１及び２）のような、データベースサーバのデータベースに存在している、通知されたサーティファイア（ｃｅｒｔｉｆｉｅｒ）情報と、格納されているサーティファイア情報間の比較に基づいて、承認或いは非承認とする。格納されている前記サーティファイア情報は、サーティファイアのバイオメトリック情報を含む。格納されている前記サーティファイア情報は、サーティファイア（ｃｅｒｔｉｆｉｅｒ）識別情報を含む。本発明の実施形態において、前記システムは、通知されたサーティファイア情報の一部と格納されたサーティファイア情報の一部とが一致した場合、通知された前記サーティファイア情報を承認する。
【００６８】
本人登録システムが、通知された前記サーティファイア情報を承認しなかった場合は、プロセス５００は、パス５１６に従って、ステップ５１２に戻る。本人登録システムが、通知された前記サーティファイア情報を承認した場合、プロセス５００は、本人登録システムが登録者から登録者識別情報を受信するステップ５１８へ進む。前記登録者識別情報は、サーティファイアがステップ５０６において受信する登録者識別情報である。ステップ５２０において、本人登録システムは、登録者バイオメトリック情報を受信する。ステップ５２２において、登録者識別情報及び登録者バイオメトリック情報の１つ又は両方を含む登録者情報は、本人情報管理装置に登録される。
【００６９】
本発明の実施形態において、ステップ５２２はサーティファイアに対し、登録者識別情報及びバイオメトリック情報を登録することを、本人登録システムに指示する機会を提供する。本発明の実施形態において、ステップ５２２は、前記本人登録システムに情報を登録するよう指示する機会をサーティファイアに対してだけ与え、他の関係者には提供しないという保証を含む。前記保証は、前記本人情報を承認するための追加ステップ（不図示）を含む。前記保証は、アクセス手段のない登録者に対し、デバイスを通じて機会を提供することを含む。
【００７０】
本発明の実施形態において、ステップ５２２は、サーティファイアに対し、登録者識別情報が登録者を識別するということを証明する機会を提供することを含む。本発明の実施形態において、ステップ５２２は、サーティファイアに対し、登録者バイオメトリック情報が登録者を識別するということを証明する機会を提供することを含む。
【００７１】
本発明の実施形態において、本人登録システムは、登録者情報の登録が成功したという確証を提供する。プロセス５００は、ステップ５２４で終了する。
【００７２】
図６は、プロセス５００（図５）の中のステップ５２０の実行に関わるステップを含むプロセス６００の具体例を示すフローチャートである。プロセス６００は、指紋を基盤とした識別情報登録と関連して図示されているが、本発明の実施形態において、他のあらゆる適切なバイオメトリック情報を基にした識別情報登録に関わるものであることが理解できる。ステップ６０２において、本人情報登録システムは、登録者の対象となる登録の１つ又は複数の指の識別を登録者に促す。
【００７３】
例えば、本人登録システムは、登録者が何本かの指を識別することを登録者に促す。例えば、手と指に対応する指番号により指は識別される。本人登録システムは、登録者に対し、指と指を識別する対応標示を示した画面を提供する。本発明の実施形態において、前記画面は、指に対応する選択可能な表示オブジェクトを含む。本発明の実施形態において、前記登録者は、１つ又は複数の表示オブジェクトを選択するために、マウスのようなユーザ入力デバイスを使用する。
【００７４】
ステップ６０４において、本人登録システムは、例えば、データ受信デバイス１０６やデータ受信デバイス２０６のどちらかのようなデバイスを用いることにより、登録者の指のスキャンを登録者に促す。ステップ６０６において、指のスキャンが実行される。本発明の実施形態において、本人登録システムがスキャンを開始する。また、本発明の実施形態において、ユーザがスキャンを開始するようにしてもよい。ユーザは登録者である。また、ユーザがサーティファイアであってもよい。さらに、ユーザはあらゆる適切な人物であってもよい。
【００７５】
ステップ６０８において、本人登録システムは、スキャンを受け付けるか或いは拒絶する。スキャンが拒絶された場合、プロセス６００はパス６１０を通じてステップ６０４へ戻る。スキャンが受け付けられた場合、ステップ６１２において（本人登録システムがまだステップ６０２において識別された指を全てスキャンし終わっていない場合）、本人登録システムはステップ６０４へ戻り、他の指をスキャンする。スキャンが受け付けられ、そして本人登録システムがステップ６０２で識別された全ての指をスキャンし終わった場合、プロセス６００は終了し、例えば、ステップ５２２においてそうであるように、本人登録システムはプロセス５００を再開する。
【００７６】
図７から図９は、プロセス５００及び６００（それぞれ図５及び図６に示す。）において実行されるような本人登録システムによって提供される画面の一例を示す図である。前記本人登録システムは、アクセスデバイス１０２、パーソナルコンピュータ２０２、リモートアクセスデバイス２０５など他のあらゆる適切なデバイスを通じ、具体的な画面を表示し、そして他のあらゆる適切な画面を表示する。
【００７７】
図７から図９では、説明のため、ある配置での情報及び特徴を示す。前記情報及び特徴は、あらゆる適切な方法で配置され、１つ又は複数のあらゆる適切な画面に表示される。前記画面は、図７から図９において１つ又は複数示されており、１つ又は複数の電子的形態を含む。
【００７８】
図７及び図８は、本人登録システムのユーザから情報を受信するためのテキスト入力ボックスを示す。テキスト入力ボックスは、説明のために示されているだけであり、情報を受信するためにあらゆるデータ入力方法が用いられることが理解できるだろう。図７及び図８は、図５及び図６のどちらかに示されているような処理ステップを実行するための指示を、ユーザから受信するためのラジオボタンを示す。ラジオボタンは説明のために示されているだけであり、情報を受信するためにあらゆる適切な表示に基づく処理制御機能が提供されることが理解できるだろう。図７及び図８は、指紋を基盤とした識別情報登録との関連で、本人登録システムを図示しているが、本発明の実施形態において、あらゆる適切なバイオメトリック情報を基盤とした識別情報に関連することが理解できるだろう。
【００７９】
図７は、本発明の実施形態において、本人情報管理装置へサーティファイア情報を通知する機会を、サーティファイアに提供するために使用される画面の一例を示している。画面７００は、サーティファイアが、サーティファイアを識別するサーティファイア識別情報を入力する領域７０２を含む。領域７０２は、名前、社会保障番号、住所、市、州及び郵便番号をそれぞれ入力するテキスト入力ボックス７０４、７０６、７０８、７１０、７１２及び７１４を含む。領域７０２は、サーティファイア識別情報を入力するためのあらゆる適切なデータ入力機能を含む。
【００８０】
画面７００は、サーティファイアが所持している免許証を識別する免許証情報を、サーティファイアによって入力する領域７１６を含む。免許証は、公証人免許証である。また、免許証は、運転免許証であってもよい。領域７１６は、その免許証の免許証番号を受信するためのテキスト入力ボックスを含む。領域７１６は、複数の免許証番号を受信するためのテキスト入力ボックスを含む。領域７１６は、あらゆる適切な免許証情報を受信するためのデータ入力機能を含む。本発明の実施形態において、領域７０２及び７１６は、プロセス５００（図５）におけるステップ５０２と関連して用いられる。
【００８１】
画面７００は、本人登録システムが７２２のように、センサーを用いて登録された指をスキャンするようサーティファイアに指示する領域７２０を含む。領域７２０は、サーティファイアによる指のスキャンを始めるための、ラジオボタン７２４を含む。登録された指は、プロセス５００が始まる前に、前もって本人情報管理装置においてバイオメトリック情報が登録されたものである。本発明の実施形態において、領域７２０は、プロセス５００（図５）におけるステップ５１２に関連して使用される。
【００８２】
図８は、登録者識別情報及び登録者バイオメトリック情報を受信するための本発明の一実施形態において使用される画面８００の一例を示す図である。画面８００は、登録者識別情報を受信するために使用される領域８０２を含む。登録者識別情報は、登録者名、登録者の社会保障番号、登録者の住所、登録者の住む市、登録者の住む州及び登録者の郵便番号をそれぞれ入力するテキスト入力ボックス７０４、７０６、７０８、７１０、７１２及び７１４を含む。例えば、テキスト入力ボックス８１６、８１８、８２０は、それぞれ運転免許証番号、発行元の州及び免許証の有効期限を受信するために使用される。ドロップダウンボックス８２２とテキスト入力ボックス８２４及び８２６は、それぞれ登録者のクレジットカードの種類、クレジットカード番号、及びクレジットカードの有効期限を受信するために使用される。本発明の実施形態によると、入力ボックス８２２、８２４及び８２６において受信した前記識別情報は、登録者に本人の登録料を請求する際に使用できる。
【００８３】
画面８００は、登録者のバイオメトリック情報を受信するために使用される領域８３０を含む。領域８３０は、登録のために、指が本物であることを確認するプロセスを始めるためのユーザからの指示を受信するために使用されるラジオボタン８３２を含む。領域８３０は、ユーザから指紋スキャンを始める指示を受信するために使用されるラジオボタン８３４を含む。
【００８４】
画面８００は、本人情報管理装置における８０２及び８３０を通じて受信した情報を登録する指示を受信するために使用されるラジオボタン８４２を含む領域８４０を含む。サーティファイアは、領域８０２及び８３０を通じて受信した情報を認証するために、ボタン８３６がクリックされるとその結果認証情報を転送する。前記サーティファイアは、電子証明書に適切なあらゆる基準に従い前記情報を認証する。例えば、プロセス５００（図５）におけるステップ５１８及び５２０とともに、領域８０２及び８３０を通じて情報が受信され使用される。例えば、プロセス５００におけるステップ５２２とともにボタン８３６が使用される。
【００８５】
図９は、本発明の実施形態において、本人情報登録システムにより登録された、例えば、領域８０２（図８）を通じて受信した識別情報及び、例えば、領域８３０（図８）を通じて受信したバイオメトリック情報を、ユーザに通知するために使用される画面９００の一例を示す図である。テキスト画面ボックス９０２、９０４及び９０６は、領域８０２（図８）を通じて受信した情報を含む。メッセージ９０８は、登録者識別情報及び登録者バイオメトリック情報は、本人情報管理システムに登録されていることを確証する。画面９００は、他のあらゆる適切な情報を含む。また、画面９００は、他のあらゆる適切なメッセージを含むようにしてもよい。
【００８６】
図１０は、発明の本質に従って電子取引参加者の本人確認のために実行される具体的なステップからなる一般的なフローチャートである。図１０で示されるステップは、説明のためだけであり、あらゆる適切な順番に従って実行される。実際には、いくつかのステップが追加ないし削除されうる。図１０で示されるステップの中には、様々なプロセスを実行し、また様々な表示を提供することにより、ユーザが本人情報管理装置と相互にやりとりをし合う機会を提供することを含む。そして、その他のステップは、例えば、前記機会に提供するために適切な画面を生成或いはダウンロードするようプログラムされたクライアントアプリケーション、前記機会に提供するために適したページをダウンロードするインターネットブラウザ、或いはその他のあらゆる適切な方法を用いて実行される。
【００８７】
（図１に示す）１００のようなインターネット構成において、例えば、１つ又は複数のアクセスデバイス１０２が、ウェブブラウザのようなクライアントベースのアプリケーションを実行するために使用される。１４０のような電子商取引モジュールは、１００のような本人情報確認モジュールとして機能する。例えば、電子商取引モジュール１４０は、本人情報管理モジュール１００へ、インターネットベースの取引参加者の本人確認を要求することができる。
【００８８】
（図２に示す）２００のようなイントラネット構成において、例えば、１つ又は複数のパーソナルコンピュータ２０２が、１つ又は複数のクライアントベースのアプリケーションを実行する。２４０のような電子ビジネスモジュールは、２００のような本人情報管理モジュールのクライアントとして機能する。例えば、２４０のような電子ビジネスモジュールは、本人情報管理モジュール２００へ、電子取引参加者の本人確認を要求することができる。
【００８９】
（図１に示す）１００のようなインターネット構成において、図１０に示されるようなステップの中には、例えば、アクセスデバイス１０２、データ受信デバイス１０６、本人情報管理モジュール１２０、インターネット・アプリケーションサーバ１２２或いはデータベースサーバ１２４により、例えば、アクセスデバイス１０２の処理能力及び記憶能力、使用されるマークアップ言語文書のために選択された手段、それらの工程で必要となる処理やその他の要因に応じて実行されるものがある。
【００９０】
（図２に示す）２００のようなイントラネット構成において、図１０に示されているようなステップの中には、パーソナルコンピュータ２０２、データ受信デバイス２０６、リモートアクセスデバイス２０５、アプリケーションサーバ２４２及びデータベースサーバ２４４により実行されるものがある。ステップの実行のために必要な処理は、選択されたシステムの手段及びそれらの工程で必要となる処理に応じて、ピアアプリケーションに割り当てられる。
【００９１】
発明を明確にするために、以下で図１０に示されているステップを説明するが、それらは例えば、構成１００や２００（それぞれ図１及び図２）の全部又は一部のような、あらゆる適切な情報処理システムを含むことを目的とする「本人登録システム」により実行される。本発明の実施形態において、本人確認システムには、人間が行っても良いサーティファイアを含む。
【００９２】
本人確認プロセス１０００の一例が、取引参加者から受信したバイオメトリック情報及び格納されたバイオメトリック情報間の関係を確かめるために使用される。格納された前記バイオメトリック情報は、本人情報管理装置に格納されている。ステップ１００２において、本人確認システムは、参加者より提供されたバイオメトリック情報に基づいて、取引参加者の本人確認要求を受信する。ステップ１００４において、前記本人確認システムは、参加者識別情報を受信する。また、ステップ１００４において、前記本人確認システムは、参加者バイオメトリック情報を受信するようにしてもよい。ステップ１００８において、本人確認システムは、参加者バイオメトリック情報を、受信した参加者識別情報に対応する記憶されたバイオメトリック情報と比較する。
【００９３】
ステップ１０１０において、受信したバイオメトリック情報が格納されたバイオメトリック情報と一致しない場合、本人確認システムは、参加者が本人であることを確認できないというレポートをする。本発明の実施形態において、１０４のような電子商取引モジュール或いは２４０のような電子ビジネスモジュール（それぞれ図１、図２に示す）へ提供するレポートには、電子文書が含まれる。
【００９４】
ステップ１０１０において、受信したバイオメトリック情報が格納されたバイオメトリック情報と一致した場合、参加者が本人であることを確認したというレポートをする。本発明の実施形態において、本人確認システムは、受信した本人情報が格納された本人情報と一致し、受信したバイオメトリック情報が格納されたバイオメトリック情報と一致した場合にのみ、参加者が本人であるとレポートする。
【００９５】
図１１及び図１２は、指紋を基盤とした識別情報登録との関連で、本人確認システムを図示しているが、本発明の実施形態において、あらゆる適切なバイオメトリック情報を基盤とした識別情報に関連することが理解できるだろう。
【００９６】
図１１は、プロセス１０００（図１０）に含まれるデータ記録１１００及び１１５０の実例を示す図である。記録１１００は、プロセス１０００（図１０）において実行されるような、本人登録システムから受信する代表的なデータである。記録１１５０は、前記本人登録システムに格納されている代表的なデータである。図１１で示されるデータは一例であることは理解できるであろう。本人登録システムにおいて、格納されており、受信されるデータは、必ずしも図１１に示されているようなデータの量及びデータのタイプに限定されない。記録１１５０に示されているようなデータは、データベースサーバ１２４や２２４（それぞれ図１及び図２に示す）のようなデータベースサーバ上のデータベースに格納され、あらゆる適切なデータ構造で格納され、あらゆる適切な方法で並べられ、そしてあらゆる適切な方法で表示される。
【００９７】
記録１１００は、ステップ１００４において本人確認システムによって受信された、取引参加者識別情報１１０４を含むような受信情報１１０２がある。識別情報１１０４は、取引参加者より本人確認システムへ提供したあらゆる適切な情報を含む。情報１１０４は名前情報１１０６を含む。また、情報１１０４は住所情報１１０８を含んでもよい。情報１１０４は、例えば、画面８００（図８）とともに情報が表示、或いは説明されている。
【００９８】
受信情報１１０２は、ステップ１００６において、本人確認システムから受信した、取引参加者バイオメトリック情報１１１０を含む。バイオメトリック情報１１１０は、記録１１００に存在するバイオメトリック情報の種類を表示するために使用されるデータタイプ情報１１１２を含む。図１１において図解されている例において、データタイプ情報１１１２は、指紋データである。情報１１１０は、データ受信デバイス１０６やデバイス２０６（それぞれ図１及び図２に示す）のようなデータ受信デバイスによって受信された信号を表示するバイオメトリック署名１１１４を含む。図１１で図解されている例において、バイオメトリック署名１１１４は、詳細テンプレートの英数字表示である。
【００９９】
本人確認システムは、受信した記録１１００における取引参加者識別情報１１０４と一致する登録された識別情報を含む格納された記録を探す。図１１は、記録１１５０に登録された識別情報１１５４及び登録されたバイオメトリック情報１１６０を含む情報１１５２が含まれることを示す。本人確認システムは、記録１１５０を識別し、プロセス１０００（図１０）のステップ１００８のようなステップに存在する記録１１００と比較する。
【０１００】
情報１１５４及び情報１１６０は、本人確認システムにより、ステップ１１０２が実行される前に格納される。識別情報１１５４及びバイオメトリック情報１１６０は、例えば、データベースに識別情報及びバイオメトリック情報を登録する本人登録プロセスと関連して格納される。前記プロセスの一例は、プロセス５００（図５）と関連して説明されるが、識別情報１１５４及びバイオメトリック情報１１６０は、識別情報及びバイオメトリック情報を格納するあらゆるプロセスを通じて格納される。
【０１０１】
識別情報１１５４は、あらゆる適切な識別情報を含む。また、識別情報１１５４は、名前情報１１５６及び住所情報１１５８を含んでいてもよい。図１１において示されている例において、名前情報１１５６は、名前情報１１０６と一致し、住所情報１１５８は住所情報１１０８と一致する。従って、格納情報１１５２における識別情報１１５４は、受信情報１１０２における識別情報１１０４と一致する。
【０１０２】
登録されたバイオメトリック情報１１６０は、あらゆる適切なバイオメトリック情報を含む。バイオメトリック情報１１６０は、記録１１５０に存在するバイオメトリック情報の種類を示すために使用するデータタイプ情報１１６２を含む。
【０１０３】
図１１において示されている例において、データタイプ情報は、指紋情報である。バイオメトリック情報１１６０は、データ受信デバイス１０６やデバイス２０６（それぞれ図１及び図２に示す）のようなデータ受信デバイスによって受信された信号を表示する登録されたバイオメトリック署名１１６４を含む。図１１において示されている例において、バイオメトリック署名１１１４は詳細テンプレートの英数字表示である。図１１において示されている例において、格納情報１１５２におけるバイオメトリック署名１１６４は、受信情報１１０２におけるバイオメトリック署名１１１４と一致しない。署名１１６４における文字「Ｑ」が署名１１１４における文字「Ｐ」と一致しないからである。
【０１０４】
図１２は、アクセスデバイス１０２のようなデバイスやパーソナルコンピュータ２０２（それぞれ図１及び図２に示す）によって表示される画面１２００の一例を示す。画面１２００は電子書式を含んでもよい。本発明の実施形態において、画面１２００は、１４０のような電子商取引モジュールや２４０のような電子ビジネスモジュール（それぞれ図１及び図２に示す）によって提供される。本発明の実施形態において、画面１２００は、１００や２００（それぞれ図１及び図２に示す）のような本人情報管理モジュールによって提供される。本発明の他の実施形態において、画面１２００は、プロセス１０００（図１０）において実行されるような本人情報管理システムによって表示される。
【０１０５】
本発明の実施形態において、画面１２００は、電子ビジネスモジュール及び本人情報管理モジュールの両方によって提供された情報を含む。本発明の実施形態において、画面１２００は、電子ビジネスモジュール及び本人情報管理モジュールの両方によって提供された情報を含む。
【０１０６】
本発明の実施形態において、画面１２００は、支払い又は電子チェックアウトプロセスの一部として、取引参加者へ表示される。図１２で示される例において、前記取引は、（図１に示す）電子商取引モジュール１４０によって提供されるようなインターネット電子商取引ウェブサイトからの商品の購入することである。他の例において（不図示）、前記取引は、（図２に示す）電子ビジネスモジュール２４０のような電子ビジネスシステムを用いた資金移動である。
【０１０７】
画面１２００は、取引情報１２０４を含む領域１２０２を含んでもよい。取引情報１２０４は、取引に関するあらゆる適切な情報を含んでもよい。図１２の例において、取引情報１２０４は、取引の対象となる商品を識別する商品識別１２０６を含む。取引情報１２０４は、前記商品に対して支払われる金額１２０８を含んでもよい。取引情報１２０４は、金額１２０８に対応する小計１２１０を含んでもよい。取引情報１２０４は、取引に関わる全商品の合計支払い金額を含む受取総額情報１２１２を含んでもよい。
【０１０８】
領域１２０２は、（図１１に示す）記録１１００及び１１５０の片方又は両方における情報に対応する、名前１２１６及び住所１２１８を含む、取引参加者識別情報１２１４を含む。領域１２０２は、電子商取引ウェブサイトにおいて、購入した商品の代金を参加者に請求するために使用される請求情報１２２０を含む。請求情報１２２０は、カードの種類情報１２２２、カード番号情報１２２２、そしてカード有効期限情報１２２６を含む、あらゆる適切な請求情報を含む。
【０１０９】
画面１２００は、プロセス制御機能１２３０を含む領域１２２８を含む。プロセス制御機能１２３０は、参加者から参加者が本人であることを確認する指示を受信するために存在する。プロセス制御機能１２３０は、ラジオボタンによって例示されているが、プロセス制御機能１２３０は、あらゆる適切な電子表示を基盤とするプロセス制御機能である。参加者は、（図１１に示す）プロセス１１００のようなプロセスを始めるため、プロセス制御機能１２３０を始動する。
【０１１０】
以上のように、本人情報管理装置においてバイオメトリック情報を登録する装置や方法、そして電子取引参加者が本人であることを確認する装置や方法が提供される。本発明が、当該技術分野における通常の知識を有する者であれば、説明された実施形態（それは説明のために示されたものであって限定するためではない）以外の実施形態によっても実行することができることが明らかである。
【図面の簡単な説明】
【０１１１】
【図１】本発明にかかる装置の概要を示す図である。
【図２】本発明にかかる装置の概要を示す別の図である。
【図３】図１及び図２に示す装置の一部分を詳細に示す図である。
【図４】図１及び図２に示す装置の一部分を詳細に示す別の図である。
【図５】本発明にかかる方法に組み込むができるステップを示す図である。
【図６】図５におけるステップに含めることができるステップの詳細を示す図である。
【図７】本発明にかかるディスプレイ表示を示す図である。
【図８】本発明にかかる別のディスプレイ表示を示す図である。
【図９】本発明にかかるさらに別のディスプレイ表示を示す図である。
【図１０】本発明にかかる方法に組み込むことができるステップを示す別の図である。
【図１１】本発明で使用される情報の一例を示す図である。
【図１２】本発明にかかるさらに別のディスプレイ表示を示す図である。
【図１】
2005332390.tif 000003
【図２】
2005332390.tif 000004
【図３】
2005332390.tif 000005
【図４】
2005332390.tif 000006
【図５】
2005332390.tif 000007
【図６】
2005332390.tif 000008
【図７】
2005332390.tif 000009
【図８】
2005332390.tif 000010
【図９】
2005332390.tif 000011
【図１０】
2005332390.tif 000012
【図１１】
2005332390.tif 000013
【図１２】
2005332390.tif 000014